(57)【要約】【課題】ケーシングの組立時、側板の姿勢を安定させて、閉鎖弁取付板と側板との位置合わせ及びネジ止め作業を容易にした空気調和装置の室外ユニットを提供する。【解決手段】室外ユニット２では、閉鎖弁取付板３０が、仕切板２８とケーシング２０の右側板２５とをつなぐ。閉鎖弁取付板３０は、右側板２５に固定される固定部３１と、固定部３１が固定される前に右側板２５の切り欠き２５ａへ引っ掛けられる爪部３２とを有している。その結果、作業者は、閉鎖弁取付板３０を切り欠き２５ａへ引っ掛けて位置決めできるので、固定部３１を右側板２５に固定するときの作業が容易である。【選択図】図５
2009210152.tif 000002
【特許請求の範囲】
【請求項１】
空気調和装置の室内ユニットに冷媒連絡配管を介して接続されて蒸気圧縮式冷凍回路を構成する空気調和装置の室外ユニットであって、
前記冷媒連絡配管が接続される閉鎖弁（６１，６２）を収納するケーシング（２０）と、
前記ケーシング（２０）の内部空間を、前記閉鎖弁（６１，６２）が配置される第１空間（２０ａ）と前記閉鎖弁（６１，６２）が配置されない第２空間（２０ｂ）とに分割する仕切板（２８）と、
前記閉鎖弁（６１，６２）を支持し、前記仕切板（２８）と前記ケーシング（２０）の前記第１空間（２０ａ）側の側板（２５）とをつなぐ閉鎖弁取付板（３０）と、
を備え、
前記閉鎖弁取付板（３０）は、
前記側板（２５）に固定される固定部（３１）と、
前記固定部（３１）が固定される前に前記側板（２５）へ引っ掛けられる爪部（３２）と、
を有する、
空気調和装置の室外ユニット（２）。
【請求項２】
前記側板（２５）は、前記爪部（３２）が挿入されて引っ掛かる切り欠き部（２５ａ）を有する、
請求項１に記載の空気調和装置の室外ユニット（２）。
【請求項３】
前記側板（２５）に引っ掛けられた後の前記爪部（３２）は、ケーシング（２０）の長手方向と交差する方向に向いている、
請求項１又は請求項２に記載の空気調和装置の室外ユニット（２）。
【請求項４】
前記蒸気圧縮式冷凍回路の一部を成す圧縮機（５１）をさらに備え、
前記圧縮機（５１）が前記第１空間に配置されている、
請求項１から請求項３のいずれか１項に記載の空気調和装置の室外ユニット（２）。
【発明の詳細な説明】
【技術分野】
【０００１】
本発明は、空気調和装置の室外ユニット、特に、冷媒連絡配管が接続される閉鎖弁を支持する閉鎖弁取付板を備えた空気調和装置の室外ユニットに関する。
【背景技術】
【０００２】
空気調和装置の室外ユニットは、内部が鉛直方向に延びる仕切板によって送風機室と機械室とに分割された略直方体形状のケーシングを備えている。送風機室には、主として、室外熱交換器と室外ファンとが配置され、機械室には、主として、圧縮機が配置されている。さらに、室外ユニットは、液側閉鎖弁及びガス側閉鎖弁を固定する閉鎖弁取付板を備えており、閉鎖弁取付板は、仕切板とケーシングの側板との間に掛け渡される（特許文献１参照）。
【０００３】
ケーシングの組立時、閉鎖弁取付板の一端は側板にネジ止めされるが、側板の姿勢が安定していないので、作業者は、閉鎖弁取付板と側板との位置合わせを行い、一方の手で閉鎖弁取付板および側板を保持しながら、他方の手でネジ止めをしなければならず、手間がかかり作業効率が低い。
【特許文献１】特開平２００７−１２０９００号公報
【発明の開示】
【発明が解決しようとする課題】
【０００４】
本発明の課題は、ケーシングの組立時、側板の姿勢を安定させて、閉鎖弁取付板と側板との位置合わせ及びネジ止め作業を容易にした空気調和装置の室外ユニットを提供することにある。
【課題を解決するための手段】
【０００５】
第１発明に係る空気調和装置の室外ユニットは、室内ユニットに冷媒連絡配管を介して接続されて蒸気圧縮式冷凍回路を構成する空気調和装置の室外ユニットであって、ケーシングと、仕切板と、閉鎖弁取付板とを備えている。ケーシングは、冷媒連絡配管が接続される閉鎖弁を収納する。仕切板は、ケーシングの内部空間を、閉鎖弁が配置される第１空間と閉鎖弁が配置されない第２空間とに分割する。閉鎖弁取付板は、閉鎖弁を支持し、仕切板とケーシングの第１空間側の側板とをつなぐ。また、閉鎖弁取付板は、側板に固定される固定部と、固定部が固定される前に側板へ引っ掛けられる爪部とを有している。
【０００６】
この室外ユニットでは、閉鎖弁取付板を側板へ引っ掛けて位置決めできるので、固定部を側板に固定するときの作業が容易になる。
【０００７】
第２発明に係る空気調和装置の室外ユニットは、第１発明に係る空気調和装置の室外ユニットであって、側板は、爪部が挿入されて引っ掛かる切り欠き部を有している。
【０００８】
この室外ユニットでは、作業者は、爪部を切り欠き部の開口に挿入するだけで、爪部が側板に引っ掛かるので、組立作業性がよい。
【０００９】
第３発明に係る空気調和装置の室外ユニットは、第１発明又は第２発明に係る空気調和装置の室外ユニットであって、側板に引っ掛けられた後の爪部が、ケーシングの長手方向と交差する方向に向いている。
【００１０】
この室外ユニットでは、爪部は、側板がケーシングの長手方向外側へ倒れること、或は側板がケーシングの長手方向外側へ撓むことを防止するので、ケーシングの組立作業が容易になる。
【００１１】
第４発明に係る空気調和装置の室内ユニットは、第１発明から第３発明のいずれか１つに係る空気調和装置の室外ユニットであって、蒸気圧縮式冷凍回路の一部を成す圧縮機をさらに備えており、圧縮機が第１空間に配置されている。
【００１２】
この室外ユニットでは、閉鎖弁取付板が、側板の剛性を高めるので、圧縮機の重みで側板が傾斜することが抑制され、組立作業性が向上する。
【発明の効果】
【００１３】
第１発明に係る空気調和装置の室外ユニットでは、閉鎖弁取付板を側板へ引っ掛けて位置決めできるので、固定部を側板に固定するときの作業が容易になる。
【００１４】
第２発明に係る空気調和装置の室外ユニットでは、作業者は、爪部を切り欠き部の開口に挿入するだけで、爪部が側板に引っ掛かるので、組立作業性がよい。
【００１５】
第３発明に係る空気調和装置の室外ユニットでは、爪部は、側板がケーシングの長手方向外側へ倒れること、或は側板がケーシングの長手方向外側へ撓むことを防止するので、ケーシングの組立作業が容易になる。
【００１６】
第４発明に係る空気調和装置の室内ユニットでは、閉鎖弁取付板が、側板の剛性を高めるので、圧縮機の重みで側板が傾斜することが抑制され、組立作業性が向上する。
【発明を実施するための最良の形態】
【００１７】
以下図面を参照しながら、本発明の実施形態について説明する。なお、以下の実施形態は、本発明の具体例であって、本発明の技術的範囲を限定するものではない。
【００１８】
＜室外ユニット２の構成＞
図１は、本発明の一実施形態に係る室外ユニットの平面図であり、天板を取り除いて内部を平面的に図示している。図１において、室外ユニット２では、略直方体形状のケーシング２０の内部が、鉛直に延びる仕切板２８によって機械室２０ａと送風機室２０ｂとに分割されている。室外ユニット２は、屋内に配置される室内ユニット（図示せず）に冷媒連絡配管（図示せず）を介して接続される。
【００１９】
室外ユニット２は、上記ケーシング２０以外に、室外ファン４、圧縮機５１、室外熱交換器５２、液側閉鎖弁６１、ガス側閉鎖弁６２、及び配管等の蒸気圧縮式冷凍回路の構成に必要な部材を備えている。室外ユニット２では、室外ファン４が稼動しているとき、空気は図１のＢ及びＣの方向から吸い込まれ、室外熱交換器５２と熱交換した後、Ａの方向へ吹き出される。
【００２０】
（室外ファン４）
室外ファン４は、複数の翼を有するプロペラファンであり、送風機室２０ｂ内の室外熱交換器５２の前側で、吹出口２３ａに対向するように配置されている。室外ファン４は、室外ファン用電動機４ａによって回転駆動される。
【００２１】
（ケーシング２０）
図２は、本実施形態に係る室外ユニットの正面図であり、図３は、本実施形態に係る室外ユニットの右側面図であり、図４は、本実施形態に係る室外ユニットの背面図である。図１、図２において、ケーシング２０は、略直方体形状をしており、その６面は、底板２１、第１前板２３、第２前板２４、右側板２５、吸込グリル２６及び天板２９（図２参照）によって形成されている。
【００２２】
底板２１は、ケーシング２０の底面部分を構成する略長方形状の金属製板状部材であり、底板２１の周縁部は上向きに折り曲げられている。底板２１の下面には、据付場所の基礎台９９に固定される２つの基礎脚９８が設けられている。基礎脚９８は、ケーシング２０の前側から後側に向かって延びる金属製の板状部材である。
【００２３】
第１前板２３は、空気の吹出口２３ａ側を正面としたとき、仕切板２８の前端より左側の前面及び左側面を形成する。第１前板２３には、Ｃの方向からの空気を吸い込む吸入口が形成されている。また、第１前板２３には、Ｂ及びＣの方向から吸い込まれた空気を外部に吹き出すための吹出口２３ａが設けられている。
【００２４】
第２前板２４は、仕切板２８の前端より右側の前面及び右側面の一部を形成する。図２、図３に示すように、第２前板２４の下部には、前面下部カバー３９が取り付けられている。前面下部カバー３９は、第２前板２４の下端の切り欠き２４１を閉じるための部材であり、孔３９ａを有している。孔３９ａは、切り欠き２４１の端面から図２の正面方向へ突出する爪２４４と嵌合する。
【００２５】
第２前板２４の前面下端の切り欠かれなかった領域（非切り欠き部）は、底板２１の周縁部の上向きに折り曲げられている領域に、ネジ９０によって締結されている。このとき、第２前板２４の前面下端が、底板２１の周縁部の外側となるように締結される。また、図３に示すように、前面下部カバー３９は、ネジ９０によって、第２前板２４の右側面下部および底板２１の周縁部に固定される。
【００２６】
右側板２５は、第２前板２４に隣接してケーシング２０の右側面の残りと背面の一部を形成する。図３、図４に示すように、右側板２５の下部には、背面下部カバー４０が取り付けられており、この背面下部カバー４０は、右側板２５の下端にある開口２５１を閉じるための部材である。
【００２７】
開口２５１には、液冷媒連絡配管１８、ガス冷媒連絡配管１９及び電線が挿入されるので、背面下部カバー４０は、液冷媒連絡配管１８、ガス冷媒連絡配管１９及び電線を貫通させた状態で開口２５１を閉じる。なお、室外ユニット２の据付条件によって、背面下部カバー４０は、液冷媒連絡配管１８及びガス冷媒連絡配管１９だけを貫通させた状態のときや、或は電線だけを貫通させた状態のときもある。
【００２８】
背面下部カバー４０は、ネジ９０によって、右側板２５の右側面下部および底板２１の周縁部に固定される。この背面下部カバー４０については、説明の便宜上、右側板２５の右側面下部および底板２１の周縁部に固定される領域をカバー固定部４１とし、固定されない領域の自由端をカバー自由端部４２とする。カバー自由端部４２は、右側板２５の背面側下部の内側に入り込んでいる。
【００２９】
吸込グリル２６は、右側板２５に隣接して残りの背面を形成しており、室外ファン４によってケーシング２０内に吸入される空気の吸入口２６ｃが形成されている。
【００３０】
図１において、仕切板２８は、送風機室２０ｂ側に突出するように屈曲した形状を有しており、ケーシング２０の内部を左右２つの空間に仕切るように配置されている。仕切板２８の前面側端部は第１前板２３の右端部にネジ等によって締結され、仕切板２８の背面側端部は、管板５９の前面側端部にネジ等によって締結されている。
【００３１】
なお、管板５９とは、ケーシング２０の左側面から背面に沿うように配置された略Ｌ字形状の部材であり、室外熱交換器５２の右端面に対向するように設けられており、その下部が底板２１にネジ等により固定されている。
【００３２】
天板２９は、室外ユニット２の天面部分を構成する横長の略長方形状の金属製の板状部材であり、天板２９の周縁部は下向きに折り曲げられている。本実施形態では、天板２９の周縁部の下向きに切り曲げられた領域の内側へ、第２前板２４の上端が入ることによって、第２前板２４は天板２９に保持されており、ネジ等の締結は行われていない。したがって、第２前板２４の下端と底板２１の周縁部とのネジ締結を解消することによって、第２前板２４は、下方へ降下してケーシング２０から取り外される。第２前板２４が取り外されたとき、機械室２０ａの内部が見えるようになっているので、第２前板２４は、機械室２０ａ内に収容された部品のメンテナンス作業を行う際に取り外される。
【００３３】
（閉鎖弁取付板３０）
図１に示すように、閉鎖弁取付板３０は、第１前板２３の右端部と、右側板２５の前端部との間に掛け渡されるように、機械室２０ａに設けられた細長い板状の部材であり、第１領域３０ａと、第２領域３０ｂと、固定部３１とを有する金属製の部材である。なお、閉鎖弁取付板３０は、機械室２０ａ内において、圧縮機５１の上端付近の高さ位置に配置されている。
【００３４】
第１領域３０ａは、閉鎖弁取付板３０が機械室２０ａ内に配置された状態において、第１前板２３の右端部から第２前板２４の右側面部分に向かって第２前板２４の前面部分とほぼ平行に延び、続いて、第２前板２４の前面部分から遠ざかる方向に傾斜しながら延び、続いて、第２前板２４の右側面部分に向かって第２前板２４の前面部分とほぼ平行に延びる部分である。なお、第１領域３０ａは、長手方向左端に、仕切板２８の前端部とともに第１前板２３の右端部に保持される支持部３３を有している。
【００３５】
第２領域３０ｂは、閉鎖弁取付板３０が機械室２０ａ内に配置された状態において、第１領域３０ａの長手方向右端から右側板２５の前端部に向かって第２前板２４の前面部分から遠ざかる方向に傾斜しながら延びる部分である。第２領域３０ｂは、液側閉鎖弁６１及びガス側閉鎖弁６２が装着される部分であり、液側閉鎖弁６１及びガス側閉鎖弁６２を長手方向に並べて装着することが可能である。閉鎖弁取付板３０が機械室２０ａ内に配置された状態において、第２前板２４の右側面部分側にガス側閉鎖弁６２が装着され、ガス側閉鎖弁６２の左側に液側閉鎖弁６１が装着される。
【００３６】
（閉鎖弁取付板３０の固定部３１の詳細構造）
固定部３１は、閉鎖弁取付板３０が機械室２０ａ内に配置された状態において、第２領域３０ｂの長手方向右端から一旦後方に延びた後に長手方向左方に延びる部分であり、右側板２５の前端部にネジ等により固定されている。以下、固定部３１について説明する。
【００３７】
図５は、固定部周辺の斜視図であり、図５において、固定部３１は、閉鎖弁取付板３０の第２領域３０ｂの右端を、折り返すことによって形成される。但し、固定部３１と第２領域とは、密着しておらず、一定の間隔が設けられている。固定部３１には、予めネジ孔が設けられており、そのネジ孔からネジによって右側板２５の前端部に締結される。
【００３８】
固定部３１の右端部には、右側板２５の前端部に向って突出する爪部３２が形成されている。そして、右側板２５の前端部には、爪部３２が挿入される切り欠き２５ａが形成されている。機械室２０ａには、圧縮機５１などの重量物があるので、底板２１が傾いて、右側板２５が傾き易くなるが、爪部３２は、切り欠き２５ａに挿入されたとき、右側板２５の右側面とほぼ平行な姿勢を成すので、右側板２５が閉鎖弁取付板３０の長手方向と平行な方向へ倒れることを防止している。同様の原理で、図２に示すような撓みＶの発生を未然に防止している。
【００３９】
閉鎖弁取付板３０の長手方向と平行な方向から爪部３２を視たとき、爪部３２の根元は固定部３１の右端部のほぼ中央に位置し、固定部３１と爪部３２とが、Ｔの字を９０°倒した形状を成しており、爪部３２より上方の固定部３１と、爪部３２より下方の固定部３１の重量バランスが安定する。その結果、爪部３２が切り欠き２５ａに挿入された後の固定部３１の姿勢が安定し、爪部３２が切り欠き２５ａから抜け落ちることが防止される。
【００４０】
（圧縮機５１）
図１において、圧縮機５１は、圧縮機用電動機をハウジング内に内蔵する密閉型圧縮機であり、機械室２０ａに配置されている。圧縮機５１は、ケーシング２０の全高の１／３〜１／２程度の高さの縦型円筒形状を有し、その下部が底板２１に固定されている。また、圧縮機５１は、ケーシング２０の平面視において、機械室２０ａの前後方向中央付近に、かつ、機械室２０ａの仕切板２８付近に配置されている。
【００４１】
（室外熱交換器５２）
室外熱交換器５２は、送風機室２０ｂ内に配置されており、室外ファン４によってケーシング２０内に吸い込まれた空気との間で熱交換を行う。室外熱交換器５２は、図１の平面視において略Ｌ字形状を有し、ケーシング２０の左側面から背面に沿うように配置されている。
【００４２】
（電装品箱５５）
電装品箱５５は、電気絶縁性に優れた樹脂で成形された筐体であって、室内ユニット（図示ぜず）と通信して室外ファン用電動機４ａ及び圧縮機５１などを制御する制御部を内蔵している。電装品箱５５は、仕切板２８に装着される。
【００４３】
（電装品箱取付板５６）
電装品箱取付板５６は、電装品箱５５を仕切板２８に装着する板金部材であり、仕切板２８に引っ掛かる取付爪５６ａを有している。取付爪５６ａは、仕切板２８に予め設けられている爪挿入孔２８ａに挿入されることによって、仕切板２８に引っ掛かる。
【００４４】
＜特徴＞
室外ユニット２では、閉鎖弁取付板３０が、仕切板２８とケーシング２０の右側板２５とをつなぐ。閉鎖弁取付板３０は、右側板２５に固定される固定部３１と、固定部３１が固定される前に右側板２５の切り欠き２５ａへ引っ掛けられる爪部３２とを有している。その結果、作業者は、閉鎖弁取付板３０を切り欠き２５ａへ引っ掛けて位置決めできるので、固定部３１を右側板２５に固定するときの作業が容易である。切り欠き２５ａに引っ掛けられた後の爪部３２は、閉鎖弁取付板３０の長手方向と交差する方向に向いているので、右側板２５が閉鎖弁取付板３０の長手方向またはケーシング２０の長手方向へ倒れること、或は右側板２５が閉鎖弁取付板３０の長手方向またはケーシング２０の長手方向へ撓むことが防止される。
【産業上の利用可能性】
【００４５】
以上のように、本発明によれば、閉鎖弁取付板が、組立前のケーシングの右側板の倒れを防止して位置決めを容易にするので、直方体形状の外郭を有する機器の歪防止構造にも有用である。
【図面の簡単な説明】
【００４６】
【図１】本発明の一実施形態に係る室外ユニットの平面図。
【図２】本実施形態に係る室外ユニットの正面図。
【図３】本実施形態に係る室外ユニットの右側面図。
【図４】本実施形態に係る室外ユニットの背面図。
【図５】固定部周辺の斜視図。
【符号の説明】
【００４７】
２  室外ユニット
２０  ケーシング
２０ａ  第１空間
２０ｂ  第２空間
２５  右側板
２５ａ  切り欠き
２８  仕切板
３０  閉鎖弁取付板
３１  固定部
３２  爪部
５１  圧縮機
６１  液側閉鎖弁
６２  ガス側閉鎖弁
【図１】
2009210152.tif 000003
【図２】
2009210152.tif 000004
【図３】
2009210152.tif 000005
【図４】
2009210152.tif 000006
【図５】
2009210152.tif 000007